(57)【要約】      （修正有）【課題】一方側の基布と他方側の基布の両基布側縁が、経編編成により編み閉じられて形成された主体の筒状部が編方向に設けられた経編による筒編衣料において、筒状部への絞り個所の形成で、伸縮性が部分的に付与された筒編衣料を提供することを目的とする。【解決手段】筒状部における開放縁などの筒状部周縁に沿って、伸縮性糸が基布を構成する２列以上の編ウエールに対し、横切る方向で折り返し編み込まれている構成とすることで、部分的な絞り個所が形成されたものとする。【選択図】図１
0003118655.tif 000002
【実用新案登録請求の範囲】
【請求項１】
一方側の基布と他方側の基布の両基布側縁が、経編編成により編み閉じられて形成された主体の筒状部を、少なくとも一個所有する経編による筒編衣料において、前記筒状部が編方向に設けられ、該筒状部周縁に沿って、伸縮性糸が、前記基布を構成する２列以上の編ウエールに対し横切る方向で折り返し編み込まれて、部分的な絞り個所が形成されていることを特徴とする経編による筒編衣料。
【請求項２】
伸縮性糸が端部をカットされた状態で編み込まれている請求項１に記載の経編による筒編衣料。
【請求項３】
伸縮性糸が絞り個所以外においては編ウエール列に経挿入されて編み込まれている請求項１に記載の経編による筒編衣料。
【請求項４】
絞り個所が筒状部周縁の全体に亘って形成されてなる請求項２又は請求項３に記載の経編による筒編衣料。
【請求項５】
絞り個所が筒状部周縁の一部に設けられてなる請求項２又は請求項３に記載の経編による筒編衣料。
【請求項６】
一方及び他方の両基布が、衣料形状に沿って編み閉じられている請求項１から請求項５のいずれか１項に記載の経編による筒編衣料。
【考案の詳細な説明】
【技術分野】
【０００１】
本考案は、部分的に絞り個所を備えた経編による筒編衣料に関する。
【背景技術】
【０００２】
経編による筒編衣料は、タイツやストッキングなどがよく知られているところであり、その製造方法は、大別すると二つあり、以下に示す特許文献を用いてそれらの特徴を説明するが、内容の理解を高めるために、各文献に含まれる図面に付与されている各部位の番号も引用して説明する。
【０００３】
一つは、横取りと呼ばれる方法であって、この方法は、主体の筒状部を編方向と直角方向に設けてなるもので、例えば特許文献１に示されているようなショーツ形成において、胴部分１は一方側に一つの大きな開放縁１個所と、他方側に小さな開放縁２個所（脚出口６，７）を有しており、大きな開放縁（上縁履口部２）においては、着用時に人体へ密着させるために、絞り力を付加させるべく、前記各開放縁には伸縮性糸が編方向（Ｂ−Ａ）に複数列鎖編で編み込まれている。
【０００４】
もう一つは、特許文献２，３に示されるような主体筒部を編方向に設けてなる縦取りと呼ばれる方法であって、特許文献２に示される網タイツにおいては、主体筒状部となる脚部２と２個所の脚筒部よりなり、足先部７は縫製で縫い閉じられるとともに、履き口６には弾性のある緊縮バンド５が縫い付けられている。
【０００５】
又、特許文献３に示される編成生地は、ワンピース、トランクス、スカート等の経編による筒編衣料であって、これらに衣料においては、主体の筒状部に対し、部位番号２その他で示される絞り個所としての緊締部が設けられているものである。
【特許文献１】実公昭５３−４８０７号公報
【特許文献２】実公昭５３−６５７２号公報
【特許文献３】実開昭５０−１６６６号公報
【考案の開示】
【考案が解決しようとする課題】
【０００６】
本考案は、上記二つの方法のうち、主体の筒状部が編方向に設けられた縦取りにより形成される筒編衣料に関するもので、特許文献２におけるものには、バンドの縫い付けのための煩雑さがあり、特許文献３に示される部分的部位への伸縮性付与は、衣料を構成する基布全幅に亘って編み込まれた多数の地糸を用いて行われるものであり、かつ、編組織を利用したものであるので十分な伸縮性が得られるものではなかった。
【０００７】
本考案は、上記問題点を解決し、縦取りの経編による筒編衣料において、特に衣料形態を自由に構成可能にジャカード筬付きの経編機により編成された筒編衣料において、筒状部に部分的絞り部が少数の編糸によって構成され、効果的に伸縮性が付与された絞り個所を有する経編による筒編衣料を提供せんとするものである。
【課題を解決するための手段】
【０００８】
本考案は、一方側の基布と他方側の基布の両基布側縁が、経編編成により編み閉じられて形成された主体の筒状部を少なくとも一個所有する経編による筒編衣料において、前記筒状部が編方向に設けられ、該筒状部周縁に沿って、伸縮性糸が、前記基布を構成する２列以上の編ウエールに対し横切る方向で折り返し編み込まれて、部分的な絞り個所が形成されていることを特徴とするものである。
【考案の効果】
【０００９】
本考案の筒編衣料は、筒状部に形成された部分的な絞り個所が、基布のウエールを横切る方向で伸縮性糸を編み込む構造としているので、伸縮性糸の伸縮性能が基布の編構造の中で遺憾なく発揮される結果、各基布を構成するウエールの本数に対し極めて少ない本数でも、縦取りの筒編衣料において、必要な伸縮性の付与がなされたものとなる。
【考案を実施するための最良の形態】
【００１０】
伸縮性糸が端部をカットされた状態で編み込まれているものである場合、絞り個所に編み込まれる伸縮性糸の糸番手の大小に拘わらず、伸縮性糸の編み込まれない基布性能への影響がないものとなる。
【００１１】
伸縮性糸が絞り個所以外においては編ウエール列に経挿入されて編み込まれているものの場合、編成後、カット作業が不要となり、特に細番手のものには好都合となる。
【００１２】
絞り個所が筒状部周縁の全体に亘って形成されてなるものの場合、特に、手袋や、シャツ、帽子などの衣料に必要な伸縮性がバランスよく付与されたものとなる。
【００１３】
絞り個所が筒状部周縁の一部に設けられてなるものの場合、絞り作用とともに外観的な絞り部分による装飾効果が生まれる。
【００１４】
一方及び他方の両基布が、衣料形状に沿って編み閉じられているものの場合、所望の絞り個所が任意に設けられた縦取りの筒編衣料となる。
【実施例】
【００１５】
以下本考案を図面に基づいて説明する。図１は、経編による筒編衣料の一実施例である手袋の斜視図であり、図２は、図１の丸印部分における開放縁を含む手袋の編組織図であり、図３は、同じく手袋の同部分に対応する編地拡大図であり、図４〜図１１は、各種実施例衣料の斜視図である。
【００１６】
図１において、１０は一方側の基布、１１は他方側の基布であり、各基布１０，１１は主体の筒状部１２と、各指部の筒状部１３〜１７及び開放縁１８より手袋が構成されている。主体の筒状部１２と各指部の筒状部１３〜１７及び開放縁１８の両側縁は編み閉じられており、筒状部１３〜１７の先端部も編み閉じられて各指が差し込めるように袋体となっている。ここで、開放縁１８は図示のように絞られて小径の部分的な絞り個所となっているが、この開放縁１８の編構造について図２の編組織図及び図３の編地拡大図により詳しく説明する。
【００１７】
本実施例の手袋は、出願人が製造販売しているジャカードダブルラッシェル機ＨＤＲＰＪ１０／２により編成がなされており、一方側の基布（フロント）と他方側の基布（バック）の基本的編組織は同じであるので、ここではフロント側の基布で説明する。図２において、２０は伸縮性糸であり、ポリウレタン糸（１５５ｄｔｅｘ）を使用しており、フロント側の基布側及びバック側の基布側でそれぞれ２本ずつ使用している。２１，２２は基布形成糸であり、ポリエステル糸（８４ｄｔｅｘ）を使用し、編機ゲージ２４Ｅに対し１イン１アウトの糸入れを行っている。基布は図示のように４コースネット組織であり、編成用筬のチェーン番号は、基布形成糸２２用筬：２−１／１−１／１−０／１−１／１−２／２−２／２−３／２−２／／基布形成糸２１用筬：１−２／２−２／２−３／２−２／２−１／１−１／１−０／１−１／／である。伸縮性糸２０は、編成コース区間Ｃ１において、基布形成糸２１，２２により形成される編ウエールＷ１，Ｗ２・・・Ｗ１３，Ｗ１４の間で、右端の編ウエールＷ１から左端の編ウエールＷ１４間において中間の各編ウエールを横切って折り返し編み込まれている。
【００１８】
編成コース区間Ｃ２は、伸縮性糸２０を、編ウエールＷ１と編ウエールＷ１４の略中間位置の列の編ウエールに編み込ませているもので、次の編成コース区間Ｃ３において基布より遊離させて浮いた部分をカットする際に、カット端が収縮して基布内に引き込まれないように止定する役割を果たす部分となっている。
【００１９】
なお、本実施例においては、伸縮性糸２０が編ウエールＷ１，Ｗ１４において、挿入編成で折り返しているが、むろん、糸使い、打ち込み、ゲージ等の編成条件の変更に伴い、ニードルループを形成することで、より堅固な絞り力を付与することも可能である。図中で示されるＦ，Ｂは、フロントニードル及びバックニードルにおけるオーバラップ位置を示している。
【００２０】
手袋の編成は、編み立て方向で１本ずつ連接させて編成してなるもので、編成後単体毎に切り離すことで、一つの手袋が形成される。この切り離し後に図３に示すように、開放縁１８では編み込まれた伸縮性糸２０が緯方向に収縮することで絞り個所が形成される。２０ａは編コース区間Ｃ２において基布における編ウエールＷ８に編み込まれた部分であり、２０ｂは編コース区間Ｃ３において基布より遊離して浮いた部分であり、製品化に際しては、カット位置Ｃにてカットすることとなる。なお、編組織図及び編地拡大図では図示していないが、筒状部の形成のためにフロント側の基布とバック側の基布は周知の通り、ジャカード制御により各基布の側縁で編み閉じられて、指部の筒状部が形成され、編成後に手袋形状の外縁に沿って編み閉じられた部分をカットすることで製品化される。
【００２１】
図４は経編による筒編衣料の別実施例であるタイツの斜視図であり、２３は右側脚部、２４は左側脚部、２５は主体の筒状部であり、右側脚部２３と左側脚部２４の先端部２３ａ，２４ａは前述の手袋の指部同様編み閉じられており、筒状部２５の開放縁２６には伸縮性糸がフロント側の基布とバック側の基布それぞれに５本ずつ計１０本が５往復分、編ウエール（図示せず）に対し横切る方向で開放縁２６の周縁に沿って折り返し編み込まれて絞り個所を形成している。なお、伸縮性糸は本実施例においては、筒状部２５及び、右側脚部２３、左側脚部２４において、図２の編コース区間Ｃ２で示されるような挿入編成で基布中に経挿入で編み込まれており、長手方向（編み立て方向）に伸縮性が付与される。
【００２２】
図５は経編による筒編衣料の更に別実施例のシャツの斜視図であり、２７は右側腕部、２８は左側腕部、２９は身頃を構成する主体の筒状部であり、右側腕部２７、左側腕部２８にはそれぞれ開放縁２７ａ，２８ａを有するとともに、主体の筒状部２９には一方側に開放縁２９ａを有し、他方側には衿を構成する開放縁２９ｂを有している。開放縁２７ａには伸縮性糸がフロント側の基布とバック側の基布それぞれに３本ずつ計６本が８往復分編み込まれて絞り個所が形成されており、その両糸端はカットされている。２８ｂは、腕部２８の中間、即ち肘部分に伸縮性糸が筒状部周縁に沿ってフロント側の基布とバック側の基布それぞれに３本ずつ計６本が４往復分編み込まれた絞り個所であり、その両糸端はカットされている。
【００２３】
従って、開放縁２８ａには絞り個所は存在せず、腕部２８の腕丈の調節は絞り個所２８ｂの位置をずらすことで行える。開放縁２９ａには伸縮性糸がフロント側の基布とバック側の基布それぞれに１０本ずつ計２０本が８往復分編み込まれて絞り個所が形成されており、その両糸端はカットされている。開放縁２９ｂには、伸縮性糸がフロント側の基布とバック側の基布それぞれに６本ずつ計１２本が３往復分編み込まれて絞り個所を形成している。ここで、開放縁２９ｂで編ウエールを横切らせて編み込まれた１２本以外の伸縮性糸で、開放縁２９ａで編み込ませた伸縮性糸８本は、開放縁２９ａのみで編み込ませ、その他の編コース区間では、基布より遊離した部分として編成された後カットされる。
【００２４】
図６は経編による筒編衣料のその他の実施例の一つであるトランクスの斜視図であり、３０は主体の筒状部であり、３１は右側の履き口部における開放縁、３２は左側の履き口部における開放縁、３３は筒状部３０の端部における開放縁であり、各開放縁３１，３２には伸縮性糸が適数本配されており、開放縁３１，３２には、各々フロント側の基布とバック側の基布それぞれに６本ずつ計１２本が５往復分編み込まれて絞り個所を形成しており、開放縁３３には各々フロント側の基布とバック側の基布それぞれに５本ずつ計１０本が５往復分編み込まれて絞り個所を形成している。
【００２５】
図７は経編による筒編衣料のその他の実施例の一つであるスカートの斜視図であり、３４は主体の筒状部であり、３５は筒状部３４の一方端の開放縁、３６は他方端の開放縁である。開放縁３５には伸縮性糸が適数本配されており、各々フロント側の基布とバック側の基布それぞれに６本ずつ計１２本が５往復分編み込まれて絞り個所を形成している。
【００２６】
図８は経編による筒編衣料のその他の実施例の一つであるジャンパースカートの斜視図であり、３７は上半身部分の主体の筒状部であり、３８はスカート部分の主体の筒状部である。３９は主体の筒状部３７と主体の筒状部３８の中間に設けられた筒状部であって、筒状部３９には伸縮性糸が適数本配されており、各々フロント側の基布とバック側の基布それぞれに４本ずつ計８本が４往復分編み込まれて絞り個所を形成している。
【００２７】
図９は経編による筒編衣料のその他の実施例の一つである靴下の斜視図であり、４０は靴下の主体の筒状部であり、主体の筒状部４０の一方端４０ａは爪先側であり、この個所は編み閉じられ、他方端は開放縁４１である。開放縁４１には伸縮性糸が適数本配されており、各々フロント側の基布とバック側の基布それぞれに５本ずつ計１０本が８往復分編み込まれて絞り個所を形成している。
【００２８】
図１０は経編による筒編衣料のその他の実施例の一つである帽子の斜視図であり、４２は帽子の主体の筒状部であり、帽子の頂部となる主体筒状部の一方側は編み閉じられ、他方側は、開放縁４３を形成している。開放縁４３には伸縮性糸が適数本配されており、各々フロント側の基布とバック側の基布それぞれに８本ずつ計１６本が５往復分編み込まれて絞り個所を形成している。
【００２９】
図１１は経編による筒編衣料のその他の実施例の一つであるセータの斜視図であり、全体の構造は基本的に図５に示すシャツと同じであるので詳しい説明は省くが、主体の筒状部４４の下方３分の１の筒状部周縁には、分散した絞り個所４５が設けられ、伸縮性糸の折り返し端を同じ編ウエールには設けず、部分的に編み込ませることで、複数の部分絞り部４５ａが生起し、これにより、外観的にも装飾性のある絞り個所となっている。
【００３０】
実施例の種類については、上記実施例の図１、図４〜図１１の衣料に限らず、経編による筒編衣料として一方側の基布と他方側に基布が、両基布側縁で編み閉じられた主体の筒状部を少なくとも一個所有する筒編衣料であればよく、又、基布形成糸、伸縮性糸についても、各衣料に応じて適宜選択すればよく、特に限定されるものでないので、図４〜図１１の実施例においても糸使いの詳細は省略している。
【００３１】
むろん、伸縮性糸の本数、振り量、振りのリピート回数、糸入れや、基布形成糸の編組織についても、用途に応じて適宜選択することで、種々の用途に適した絞り個所、例えば伸縮性糸の振り量を変化させることでの部分的に緊縛力が調整された衣料などが提供できることは言うまでもない。
【図面の簡単な説明】
【００３２】
【図１】経編による筒編衣料の一実施例である手袋の斜視図である。
【図２】図１の手袋の丸印部分における開放縁を含む手袋の編組織図である。
【図３】図１の手袋の丸印部分における編地拡大図である。
【図４】経編による筒編衣料の別実施例であるタイツの斜視図である。
【図５】経編による筒編衣料の更に別実施例のシャツの斜視図である。
【図６】経編による筒編衣料のその他の実施例の一つである、トランクスの斜視図である。
【図７】経編による筒編衣料のその他の実施例の一つである、スカートの斜視図である。
【図８】経編による筒編衣料のその他の実施例の一つである、ジャンパースカートの斜視図である。
【図９】経編による筒編衣料のその他の実施例の一つである、靴下の斜視図である。
【図１０】経編による筒編衣料のその他の実施例の一つである、帽子の斜視図である。
【図１１】経編による筒編衣料のその他の実施例の一つである、セータの斜視図である。
【符号の説明】
【００３３】
１０…一方側の基布
１１…他方側の基布
１２…主体の筒状部
１８…開放縁
２０…伸縮性糸
２１，２２…基布形成糸
Ｗ１，Ｗ２・・・Ｗ１３，Ｗ１４…編ウエール
Ｃ１，Ｃ２，Ｃ３…編成コース区間
２５…主体の筒状部
２６…開放縁
２７ａ，２８ａ…開放縁
２９…主体の筒状部
２９ａ，２９ｂ…開放縁
３０…主体の筒状部
３３…開放縁
３４…主体の筒状部
３５…一方端の開放縁
３６…他方端の開放縁
３７…上半身部分の主体の筒状部
３８…スカート部分の主体の筒状部
４０…靴下の主体の筒状部
４１…開放縁
４２…帽子の主体の筒状部
４３…開放縁
４４…主体の筒状部
４５…絞り個所
【図１】
0003118655.tif 000003
【図２】
0003118655.tif 000004
【図３】
0003118655.tif 000005
【図４】
0003118655.tif 000006
【図５】
0003118655.tif 000007
【図６】
0003118655.tif 000008
【図７】
0003118655.tif 000009
【図８】
0003118655.tif 000010
【図９】
0003118655.tif 000011
【図１０】
0003118655.tif 000012
【図１１】
0003118655.tif 000013